(57)【特許請求の範囲】
【請求項１】
ベース部材に、スクリーンを巻き取るために一端が連結された巻き取り部材を巻き取り付勢した状態で取り付け、前記スクリーンの他端が連結された上端支持部材と前記ベース部材とを、上部側アームと下部側アームとが枢支連結されてなるリンク機構にてスクリーン左右幅方向ほぼ中央を挟んで左右両側に振り分けた状態でそれぞれ枢支連結し、左右に設けた前記下部側アームの下部と前記ベース部材のスクリーン左右幅方向ほぼ中央に設けた回転部材とを押引部材を介してそれぞれ連動連結し、前記左右のリンク機構のうちの少なくとも一方のリンク機構の伸縮により前記２つの押引部材をスクリーン左右幅方向ほぼ中央へ引き寄せる状態とスクリーン左右幅方向ほぼ中央から左右両端へ押し移動させる状態とに切り換え自在に構成したことを特徴とする自立式手動昇降スクリーン。
【請求項２】
前記左右の下部側アームそれぞれの下端にそれの枢支部を中心に揺動される揺動アーム部を該下部側アームの長手方向と交差する方向に延出させ、前記２つの揺動アーム部の遊端部と前記回転部材とを押引部材を介してそれぞれ連動連結してなる請求項１記載の自立式手動昇降スクリーン。
【請求項３】
前記左右の上部側アームの上端を前記上端支持部材の左右両端部又はそれら周辺に左右方向で重複することがないように前後に位置をずらせた状態で枢支連結し、前記左右の下部側アームの下端を前記ベース部材の左右両端部又はそれら周辺に左右方向で重複することがないように前後に位置をずらせた状態で枢支連結し、前記左右の上部側アームの下端と前記左右の下部側アームの上端を外嵌可能な補強用の連結部材を介して同一側同士で枢支連結することにより伸縮自在な前記左右のリンク機構を構成し、前記上部側アームと下部側アームとを枢支連結する前記２つの連結部材が左右方向両端にそれぞれ位置した前記左右のリンク機構の短縮収納状態から最大伸長状態への切り換えで該左右方向ほぼ中央部に位置すると共に該２つの連結部材が前後方向で重複しないように該リンク機構の最大伸長状態を設定してなる請求項１記載の自立式手動昇降スクリーン。
【請求項４】
前記下部側アームを上方へ移動付勢するための付勢手段を備えてなる請求項１〜３のいずれかに記載の自立式手動昇降スクリーン。
【請求項５】
前記２つの押引部材をスクリーン左右幅方向ほぼ中央側へ引っ張り付勢するための付勢手段を前記回転部材の一方向への回転付勢力に作用する状態で設けてなる請求項１〜３のいずれかに記載の自立式手動昇降スクリーン。
【請求項６】
前記付勢手段が、前記２つの押引部材をスクリーン左右幅方向で引っ張るために前記回転部材の一方向への回転付勢力に作用する状態で設けた一対のコイルスプリングからなる請求項５記載の自立式手動昇降スクリーン。
【発明の詳細な説明】
【０００１】
【発明の属する技術分野】
本発明は、上端支持部材を手で持ち上げることにより、スクリーンを上方に向けて展張させたり、上端支持部材を下方へ押し下げることにより展張させたスクリーンをケーシング内に巻き取り収納させて持ち運ぶことができるように構成した自立式手動昇降スクリーンに関する。
【０００２】
【従来の技術】
上記自立式手動昇降スクリーンにおいては、各種のものが提案され、例えばスクリーンの上端支持部材のスクリーン左右幅方向ほぼ中央にパンタグラフ式のリンク機構の上端を枢支連結してスクリーンを展張させた姿勢で保持させることが行われている。
しかしながら、前記のようにスクリーンの上端支持部材のスクリーン左右幅方向ほぼ中央にのみリンク機構の上端を枢支連結しているものでは、リンク機構のスムーズな伸縮動作を安定良く行わせることやスクリーンを安定良く自立させるためには左右のバランス調節等を精度良く行わなければならないだけでなく、上端支持部材の左右方向ほぼ中央を持ってスクリーンの上げ下げを行わなければスムーズな上げ下げを行うことができず、操作性が低下することもあった。
【０００３】
【発明が解決しようとする課題】
上記不都合を解消するものとして、例えば特許番号第３２４３０３７号公報に示されるものがある。これは、上端支持部材の左右両端と支持フレームの左右両端とを上端側アームと支持フレーム側アームとからなるリンク機構の左右にて連結支持させて、リンク機構のスムーズな伸縮動作を安定良く行わせることやスクリーンを安定良く自立させることができるようにしている。
しかしながら、展張状態のスクリーンの上端支持部材の左右一端部を持ってスクリーンを押し下げる場合に、上端支持部材が押される側が先に下降した傾斜姿勢になり、スクリーンのスムーズな下降が行えず、前述のように上端支持部材のスクリーン左右幅方向ほぼ中央を持ってスクリーンの上げ下げを行わなければならず、操作性の低下を回避することができないものであった。尚、前記上端支持部材の左右一端部を持って強い力でスクリーンを上げ下げ操作すると、スクリーンの損傷を招くこともあり、実際には上端支持部材の左右方向ほぼ中央を持ってスクリーンの上げ下げを行うのが一般的である。
【０００４】
本発明が前述の状況に鑑み、解決しようとするところは、上端支持部材のスクリーン左右幅方向のどの部分を持ってスクリーンの上げ下げを行っても、スクリーンの損傷等のトラブルがないだけでなく、迅速かつスムーズに上げ下げを行うことができる自立式手動昇降スクリーンを提供する点にある。
【０００５】
【課題を解決するための手段】
本発明の自立式手動昇降スクリーンは、前述の課題解決のために、ベース部材に、スクリーンを巻き取るために一端が連結された巻き取り部材を巻き取り付勢した状態で取り付け、前記スクリーンの他端が連結された上端支持部材と前記ベース部材とを、上部側アームと下部側アームとが枢支連結されてなるリンク機構にてスクリーン左右幅方向ほぼ中央を挟んで左右両側に振り分けた状態でそれぞれ枢支連結し、左右に設けた前記下部側アームの下部と前記ベース部材のスクリーン左右幅方向ほぼ中央に設けた回転部材とを押引部材を介してそれぞれ連動連結し、前記左右のリンク機構のうちの少なくとも一方のリンク機構の伸縮により前記２つの押引部材をスクリーン左右幅方向ほぼ中央へ引き寄せる状態とスクリーン左右幅方向ほぼ中央から左右両端へ押し移動させる状態とに切り換え自在に構成したことを特徴としている。
従って、スクリーンを引き上げて（立ち上げて）使用姿勢にしたり、スクリーンを下げて収納姿勢にする場合には、左右のリンク機構が伸縮することによりスクリーンをスムーズかつ安定良く支持することができる。又、例えば、展張状態（使用状態）のスクリーンの上端支持部材のスクリーン左右幅方向右端側（又は左端側）を押し下げる、又は収納状態のスクリーンの上端支持部材のスクリーン左右幅方向右端側（又は左端側）を引き上げると、２つの押引部材をスクリーン左右幅方向ほぼ中央へ引き寄せる状態に切り換える、又はスクリーン左右幅方向ほぼ中央から左右両端へ押し移動させる状態に切り換えることにより、スクリーンの上端支持部材のスクリーン左右幅方向左端側（又は右端側）が押し下げられる、又は収納状態のスクリーンの上端支持部材のスクリーン左右幅方向右端側（又は左端側）が引き上げられる。つまり、上端支持部材のどの部分を持ってスクリーンを上げ下げしても、スクリーンがその上げ下げしている部分が上下してスクリーンが傾いてしまうといったことがなく、上端支持部材のスクリーン左右幅方向中央部を持った場合と同様にスムーズかつ迅速にスクリーンの上げ下げを行うことができる。
【０００６】
前記左右の下部側アームそれぞれの下端にそれの枢支部を中心に揺動される揺動アーム部を該下部側アームの長手方向と交差する方向に延出させ、前記２つの揺動アーム部の遊端部と前記回転部材とを押引部材を介してそれぞれ連動連結している。
上記のように、枢支部から押引部材の連結部までの延出された部分を設けることによって、下部側アームに押引部材を直接枢支連結したものに比べて下部側アームを揺動操作する力を軽減することができる。
【０００７】
前記左右の上部側アームの上端を前記上端支持部材の左右両端部又はそれら周辺に左右方向で重複することがないように前後に位置をずらせた状態で枢支連結し、前記左右の下部側アームの下端を前記ベース部材の左右両端部又はそれら周辺に左右方向で重複することがないように前後に位置をずらせた状態で枢支連結し、前記左右の上部側アームの下端と前記左右の下部側アームの上端を外嵌可能な補強用の連結部材を介して同一側同士で枢支連結することにより伸縮自在な前記左右のリンク機構を構成し、前記上部側アームと下部側アームとを枢支連結する前記２つの連結部材が左右方向両端にそれぞれ位置した前記左右のリンク機構の短縮収納状態から最大伸長状態への切り換えで該左右方向ほぼ中央部に位置すると共に該２つの連結部材が前後方向で重複しないように該リンク機構の最大伸長状態を設定している。
上記のように２つの連結部材が前後方向で重複しないようにリンク機構の最大伸長状態を設定することによって、左右に配置される上部側アーム同士及び下部側アーム同士を前後方向にできる限り接近させた状態で配置することができる。又、２つの連結部材が前後方向で重複しない、つまり２つの連結部材が前後方向で交差する又は交差した後離間するように構成されたリンク機構に比べて、伸長度合い（上下のアームの回動範囲）を小さくすることができる。又、左右の上部側アームの上端を上端支持部材の左右両端部又はそれら周辺に枢支連結することによって、左右のバランスを安定良く保ちながらスクリーンの上げ下げを行うことができるだけでなく、スクリーンの上下方向のストロークを大きく取ることができる。
【０００８】
前記下部側アームを上方へ移動付勢するための付勢手段を備えさせることによって、展張状態のスクリーンを収納状態に切り換えるために上端支持部材を下方側へ押し下げた場合に、ゆっくりと上端支持部材を下降させることができると共に、任意の上下位置でスクリーンを保持させることができる。
【０００９】
前記２つの押引部材をスクリーン左右幅方向ほぼ中央側へ引っ張り付勢するための付勢手段を前記回転部材の一方向への回転付勢力に作用する状態で設けることによって、上端支持部材を持ち上げる時の持ち上げ力の一部を付勢手段にて発揮させることができる。
【００１０】
前記付勢手段を、前記２つの押引部材をスクリーン左右幅方向で引っ張るために前記回転部材の一方向への回転付勢力に作用する状態で設けた一対のコイルスプリングから構成することによって、単一のコイルスプリングにて構成するものに比べて、左右のバランスをより取り易くなる。
【００１１】
【発明の実施の形態】
図１、図２（ａ），（ｂ）及び図３に、スクリーン（サイズ（大きさ）は図に示すもの以外でもよい）１を収納した持ち運び可能な軽量で小型（ハンディ型）の自立式収納昇降スクリーン（以下、昇降スクリーンと称する）２を示している。尚、以下において、図２（ａ）に示した昇降スクリーン２の長手方向（スクリーン左右幅方向）を左右方向とし、昇降スクリーン２の長手方向（スクリーン左右幅方向）と直交する方向を前後方向として説明する。前記昇降スクリーン２は、前記スクリーン１を巻き取り収納するためのケーシング３と、前記スクリーン１の背（後）面側に配置され、かつ、該スクリーン１の上端が連結された上端支持部材４の左右両端に上端が枢支連結された左右のリンク機構５，５（図５参照）とを備えている。図１に示す６は、前記ケーシング３の上方開口部３Ｋを閉じるための開閉自在なカバー部材であり、又、図１及び図２（ａ）に示す７は、昇降スクリーン２を持ち運ぶ時に使用する前後一対の取っ手であり、前記ケーシング３にビス止めされた支持部材８，８に水平軸芯周りで揺動自在に取り付けられ、実線で示す格納姿勢とケーシング３の上方に位置した２点鎖線で示す使用姿勢とに揺動自在に構成されているが、無くてもよい。前記昇降スクリーン２は、図に示される構成に限定されるものではなく、形状や大きさ等は自由に変更することができる。
【００１２】
図１及び図２（ａ），（ｂ）に示すように、前記ケーシング３は、前述した上方開口部３Ｋが形成された断面形状がほぼコの字状で筒状のケース本体３Ａと、このケース本体３Ａの左右両端の開口部を閉じるための端部キャップ３Ｂ，３Ｂと、前記ケース本体３Ａの下面のうちの左右の特定２箇所に回転自在に取り付けられた平面視においてほぼ長方形状の脚部３Ｃ，３Ｃとからなり、脚部３Ｃ，３Ｃをそれの長手方向がケーシング３の長手方向に沿った格納（非使用）姿勢とケーシング３の長手方向と直交する使用姿勢とに切り換え自在に構成しているが、脚部３Ｃ，３Ｃは着脱式に構成してもよいし、又、使用姿勢で固定された固定式であってもよいし、又、ケーシング３の底面で安定良く昇降スクリーン２を支持することができるのであれば、脚部３Ｃ，３Ｃを省略して実施することもできる。
【００１３】
前記ケース本体３Ａの底部には、図１に示すように、少し上部に位置させた水平板部３Ｄを備えており、その水平板部３Ｄが、前記リンク機構５，５等を固定するためのベース部材に兼用構成しているが、別のベース部材をケース本体３Ａに取り付けて実施することもできる。
【００１４】
前記スクリーン１は、前記ケーシング３内に支持された巻き取り部材としての円筒状の巻き取りパイプ９に巻き取られており、その巻き取りパイプ９は、図示していないスプリング等の付勢手段により巻き取り付勢（一方向に回転付勢）されている。そして、前記スクリーン１の上端に取り付けた係止片１０を、該スクリーン１の左右幅とほぼ同一の左右寸法を有する前記上端支持部材４に係止することにより、スクリーン１の上端を上端支持部材４に連結できるようにしているが、他の方法にて連結するようにしてもよい。前記上端支持部材４の左右方向ほぼ中央部にスクリーン１を持ち上げるための取っ手４Ａをビス止めしているが、無くてもよい。
【００１５】
前記リンク機構５，５について説明すれば、図４及び図５に示すように、前記上端支持部材４の左右両端部（それら周辺であれば両端部から少し中央側の部位でもよい）に左右の角筒状（円筒状等でもよい）で金属製（金属とほぼ同等の強度を有するものであれば他の材料であってもよい）の上部側アーム１１，１１の上端をブラケット１２を介してそれぞれ枢支連結し、前記ベース部材３Ｄの左右両端部（それら周辺であれば両端部から少し中央側の部位でもよい）に固定された支持板１４，１４に、左右の角筒状（円筒状等でもよい）で金属製（金属とほぼ同等の強度を有するものであれば他の材料であってもよい）の下部側アーム１３，１３の下端をそれぞれ枢支連結し、前記左右の上部側アーム１１，１１の下端と前記左右の下部側アーム１３，１３の上端を同一側同士でそれぞれ枢支連結することにより伸縮自在な左右のリンク機構５，５を構成している。前記のように上端支持部材４の左右両端に近い位置に上部側アーム１１，１１の上端を枢支連結することによって、スクリーン１の上げ下げをより一層安定よく行うことができるだけでなく、スクリーン１の上下方向のストロークを大きく取ることができる利点があるが、場合によっては左右方向中央に近い位置に上部側アーム１１，１１の上端を枢支連結してもよい。
【００１６】
詳述すれば、前記左右の上部側アーム１１，１１の上端を前記上端支持部材４の左右両端部（それら周辺であれば両端部から少し中央側の部位でもよい）に左右方向で重複することがないように前後に位置をずらせた状態で枢支連結し、前記左右の下部側アーム１３，１３の下端を前記ベース部材３Ｄの左右両端部（それら周辺であれば両端部から少し中央側の部位でもよい）に左右方向で重複することがないように前後に位置をずらせた状態で枢支連結し、前記左右の上部側アーム１１，１１の下端と前記左右の下部側アーム１３，１３の上端を外嵌可能な補強用の連結部材１５，１５を介して同一側同士で枢支連結することにより伸縮自在な前記左右のリンク機構５，５を構成し、上部側アーム１１，１１と下部側アーム１３，１３とを枢支連結する２つの連結部材１５，１５が左右方向両端にそれぞれ位置した左右のリンク機構５，５の短縮収納状態から最大伸長状態への切り換えで図５に示すように左右方向ほぼ中央部に位置すると共に２つの連結部材１５，１５が前後方向で重複しないようにリンク機構５，５の最大伸長状態を設定（制限）している。従って、左右のリンク機構５，５を前後方向で接近位置させることができるだけでなく、リンク機構５，５の伸縮範囲を小さく抑えて耐久性において有利になるようにしている。前記左右のリンク機構５，５の短縮状態では、左端部の上部側アーム１１と左端部の下部側アーム１３の枢支連結部である連結部材１５が右端部に配置すると共に、右端部の上部側アーム１１と右端部の下部側アーム１３の枢支連結部である連結部材１５が左端部に配置するようにアーム１１，１１、１３，１３の長さを設定することによって、リンク機構５，５の伸縮動作時においてスクリーン２から左右方向にはみ出すことがないだけでなく、スクリーン２の上下方向の移動ストロークを大きくとることができる利点があるが、アーム１１，１１、１３，１３の長さを短くしたり、ケーシング３が長手方向において大きくなるが、連結部材１５，１５をスクリーン２の左右両側にはみ出した状態で配置して実施することもできる。
前記各連結部材１５は、前記上部側アーム１１の下端に外嵌固定される角形の上側嵌合部材１５Ａと、前記下部側アーム１３の上端に外嵌固定される角形の下側嵌合部材１５Ｂと、これら上側嵌合部材１５Ａと下側嵌合部材１５Ｂとを回転自在に連結するピン体１５Ｃとからなっているが、他の構成であってもよい。
【００１７】
図４及び図５に示すように、前記下部側アーム１３，１３を上方へ移動付勢するための付勢手段としてのガススプリング（他の構成のものであってもよい）１６，１６を、下部側アーム１３，１３の長手方向ほぼ中央箇所とベース部材３Ｄの前記支持板１４，１４よりも左右方向中央側に寄った位置に固定されたブラケット１７，１７の間に取り付けて、スクリーン１の下降がゆっくり行われるようにすることができると共に、任意の高さ位置でスクリーン１を位置保持させることができる。尚、実際には、前記ガススプリング１６，１６の付勢力、前記連結部材１５，１５の枢支連結部における摩擦抵抗、下部側アーム１３，１３に加わるスクリーン１等の重量、スクリーン１の巻き取り付勢力等が全てバランスすることによって、スクリーン１を任意の高さ位置で保持させることができる。
【００１８】
図５〜図７に示すように、前記左右の下部側アーム１３，１３それぞれの下端に枢支部を中心に揺動される揺動アーム部１８を下部側アーム１３の長手方向とほぼ直交する方向（ほぼ直交する方向が好ましいが、交差する方向であればどのような方向であってもよい）に延出させ、前記２つの揺動アーム部１８，１８の遊端部と前記ベース部材３Ｄの左右方向ほぼ中央に設けた縦（上下）軸芯Ｘ周りで回転自在に設けられた板状で平面視においてほぼ長円形の回転部材１９とを押引部材としての押引ロッド２０Ａ，２０Ｂを介してそれぞれ連動連結し、前記左右のリンク機構５，５の伸縮により前記２つの押引ロッド２０Ａ，２０Ｂを左右方向ほぼ中央へ引き寄せる状態と左右方向ほぼ中央から左右両端へ押し移動させる状態とに切り換え自在に構成している。従って、例えば図５において上端支持部材４の左端を押し下げると、図６の実線で示す揺動アーム部１８が２点鎖線で示す方向に揺動操作されて、押引ロッド２０Ａが引っ張られ、回転部材１９が図７の実線で示す位置から２点鎖線で示す位置へ回転し、もう一方の押引ロッド２０Ｂが押し込まれ、右側のリンク機構５が短縮操作されて、スクリーン１を左右同時でかつスムーズに下降させることができるようになっている。又、前記上端支持部材４の右端を押し下げて、右側のリンク機構５を短縮操作した場合も、前記と同様に押引ロッド２０Ｂ、回転部材１９、押引ロッド２０Ａを介して左側のリンク機構５を短縮操作することができるようになっている。前記回転部材１９を縦（上下）軸芯Ｘ周りで回転自在に設けたが、水平軸芯周りで回転自在に設けて実施することもできる。前記下部側アーム１３，１３の下端に揺動アーム部１８，１８を備えさせることによって、下部側アーム１３，１３の枢支部１３Ｓ，１３Ｓから押引ロッド２０Ａ，２０Ｂの枢支連結部２０Ｓ，２０Ｓまでの距離分下部側アーム１３，１３を揺動操作する力を軽減することができ、一方のリンク機構５から他方のリンク機構５への動力伝達をスムーズかつ軽快に行うことができるだけでなく、後述のコイルスプリング２１，２１の付勢力を小さくすることができる利点がある。
又、前記２つの押引ロッド２０Ａ，２０Ｂを左右方向ほぼ中央側へ引っ張り付勢するための付勢手段としての左右のコイルスプリング２１，２１を前記回転部材１９の一方向への回転付勢力に作用する状態で設けている。つまり、前記押引ロッド２０Ａ，２０Ｂの左右方向中央側端部の上端と前記ブラケット１７，１７の間にコイルスプリング２１，２１を設けて、回転部材１９を図７において時計周りに回転付勢することによって、収納姿勢のスクリーン１を立ち上げる時の引っ張り力の一部にコイルスプリング２１，２１の付勢力を利用することができるようにしているが、省略して実施することもできる。前記のように２個のコイルスプリング２１，２１を設けることによって、左右の押引ロッド２０Ａ，２０Ｂへの引っ張り力を左右ほぼ均等にすることができる利点があるが、１個のみ設けて実施してもよいし、又、３個以上設けて実施することもできる。前記コイルスプリング２１，２１を押引ロッド２０Ａ，２０Ｂの上方に配置したが、コイルスプリング２１，２１と押引ロッド２０Ａ，２０Ｂを前後方向に振り分けて配置してもよい。
【００１９】
前記昇降スクリーン２を立ち上げて展張させる場合には、まず昇降スクリーン２を所定位置に移動させてから、前記脚部３Ｃ，３Ｃを図３〜図５に示すようにケーシング３の長手方向と直交する使用姿勢に切り換える。この状態から、図１で示したカバー部材６を矢印の方向に移動させることにより、上方開口部３Ｋを開ける。次に、取っ手４Ａを所定高さまで持ち上げることにより、図３に示すように展張させることができる。尚、前記取っ手４Ａ以外の上端支持部材４を持ってスクリーン１を持ち上げて展張させてもよい。この場合、前記のように押引ロッド２０Ａ，２０Ｂにてリンク機構５，５を連結しているから、左右方向一端を持ち上げる場合でも、他端も同時に持ち上げることができ、取っ手４Ａを持ち上げる場合と同様にスムーズにスクリーン１を持ち上げることができる。
前記展張させた昇降スクリーン２を収納状態にする場合には、前記取っ手４Ａ又は取っ手４Ａ以外の上端支持部材４を持って押し下げることによって、ケーシング３内にスクリーン１を巻き取り収納させてから、カバー部材６を閉じることになる。そして、昇降スクリーン２を他の場所へ移動させる場合には、脚部３Ｃ，３Ｃをケーシング３の長手方向に切り換えることによって、移動時において脚部３Ｃ，３Ｃが他物と接当することを回避することができる。
【００２０】
【発明の効果】
請求項１の発明によれば、左右のリンク機構を押引部材を介して連動連結することによって、上端支持部材の左右方向どの部分を持ってスクリーンの上げ下げを行っても、スクリーンの損傷等のトラブルがないだけでなく、迅速かつスムーズに上げ下げを行うことができ、操作性及び耐久性のいずれにおいても有利な自立式手動昇降スクリーンを提供することができる。
【００２１】
請求項２の発明によれば、左右の下部側アームそれぞれの下端にそれの枢支部を中心に揺動される揺動アーム部を下部側アームの長手方向と交差する方向に延出させ、２つの揺動アーム部の遊端部と前記回転部材とを押引部材を介してそれぞれ連動連結することによって、枢支部から押引部材の連結部までの延出された距離分のみ、下部側アームに押引部材を直接枢支連結したものに比べて下部側アームを揺動操作する力を軽減することができ、左右のリンク機構の一方から他方への動力の伝達をスムーズかつ軽快に行うことができる。
【００２２】
請求項３の発明によれば、２つの連結部材が前後方向で重複しないようにリンク機構の最大伸長状態を設定することによって、左右に配置される上部側アーム同士及び下部側アーム同士を前後方向にできる限り接近させた状態で配置することができ、その分ケーシングの前後寸法を小さくして小型化を図ることができる。又、２つの連結部材が前後方向で重複しない、つまり２つの連結部材が前後方向で交差する又は交差した後離間するように構成されたリンク機構に比べて、伸長度合い（上下のアームの回動範囲）を小さくすることができ、その分耐久面において有利になる。又、左右の上部側アームの上端を上端支持部材の左右両端部又はそれら周辺に枢支連結することによって、左右のバランスを安定良く保ちながらスクリーンの上げ下げを行うことができる安定性の向上を図ることができるだけでなく、スクリーンの上下方向のストロークを大きく取ってスクリーンの高さ変更を容易に行うことができる利点がある。
【００２３】
請求項４の発明によれば、下部側アームを上方へ移動付勢するための付勢手段を備えさせることによって、展張状態のスクリーンを収納状態に切り換えるために上端支持部材を下方側へ押し下げた場合に、ゆっくりと上端支持部材を下降させることができ、安全面及び衝撃による耐久面のいずれにおいても有利になると共に、任意の上下位置でスクリーンを保持させることができる便利なものにすることができる。
【００２４】
請求項５の発明によれば、２つの押引部材をスクリーン左右幅方向ほぼ中央側へ引っ張り付勢するための付勢手段を回転部材の一方向への回転付勢力に作用する状態で設けることによって、上端支持部材を持ち上げる時の持ち上げ力の一部を付勢手段にて発揮させることができ、軽快にスクリーンを持ち上げることができる操作性に優れたものにすることができる。
【００２５】
請求項６の発明によれば、付勢手段を、２つの押引部材をスクリーン左右幅方向で引っ張るために回転部材の一方向への回転付勢力に作用する状態で設けた一対のコイルスプリングから構成することによって、単一のコイルスプリングにて構成するものに比べて、左右のバランスをより取り易くなり、より一層スムーズにスクリーン２を上げ下げすることができる。
【図面の簡単な説明】
【図１】昇降スクリーンの縦断側面図である。
【図２】昇降スクリーンを示し、（ａ）は正面図であり、（ｂ）は縦断正面図である。
【図３】スクリーンを使用姿勢にした状態の昇降スクリーンの正面図である。
【図４】スクリーンを使用姿勢にした状態の一部切欠き側面図である。
【図５】スクリーンを使用姿勢にした状態の昇降スクリーンの一部断面にした背面図である。
【図６】ケーシング内の構造を示す縦断面図である。
【図７】ケーシング内の構造を示す横断平面図である。
【符号の説明】
１  スクリーン        ２  昇降スクリーン
３  ケーシング        ３Ａ  ケース本体
３Ｂ  端部キャップ    ３Ｃ  脚部
３Ｄ  水平板部（ベース部材）
３Ｋ  上方開口部      ４  上端支持部材
４Ａ  取っ手          ５  リンク機構
６  カバー部材        ７  取っ手
８  支持部材          ９  巻き取りパイプ
１０  係止片          １１  上部側アーム
１２  ブラケット      １３  下部側アーム
１４  支持板          １５  連結部材
１５Ｃ  ピン体        １５Ｂ  下側嵌合部材
１５Ａ  上側嵌合部材  １３Ｓ  枢支部
１６  ガススプリング（付勢手段）
１７  ブラケット      １８  揺動アーム部
１９  回転部材        ２０Ｓ  枢支連結部
２０Ａ，２０Ｂ  押引部材（押引ロッド）
２１  コイルスプリング
Ｘ  軸芯
【図１】
0003838148.tif 000002
【図２】
0003838148.tif 000003
【図３】
0003838148.tif 000004
【図４】
0003838148.tif 000005
【図５】
0003838148.tif 000006
【図６】
0003838148.tif 000007
【図７】
0003838148.tif 000008